(57)【要約】不正なアクセスから保護すべき少なくとも１個の対象物（３０）を監視するための監視システム（１００；１００´）ならびに対応する監視方法をさらに改良するために、監視システム（１００；１００´）は、認証ユーザー（２００）によって携行される、とくに少なくとも１個の携帯電話に担持することができる少なくとも一つのトランスポンダユニット（４０）と、および、少なくとも１個の監視ユニット（１０）、とくに少なくとも１個の監視チップであって、少なくとも一つのメッセージ（ｍ）、とくに少なくとも一つの電話の呼び出し、または少なくとも一つのショートメッセージ、または少なくとも一つのマルチメディアメッセージのトランスポンダユニット（４０）への送信をトリガするよう設計した該監視ユニット（１０）とを備え、対象物（３０）への不正なアクセス要求があった場合、とくに何者かが対象物（３０）を盗もうとしている場合に、認証ユーザー（２００）に通知するよう構成し、監視システム（１００；１００´）は、認証ユーザー（２００）が監視ユニット（１０）を起動および作動停止するよう設計した少なくとも１個の遠隔制御ユニット（２０；２０´）を有し、また対象物（３０）へのアクセス要求があった場合に監視ユニット（１０）の作動状態でメッセージ（ｍ）の送信がトリガされるようにすることを提案する。
2009524141.tif 000002
【特許請求の範囲】
【請求項１】
不正アクセスから保護すべき少なくとも１個の対象物を監視するための監視システムであって、
・認証ユーザーが携行する、とくに少なくとも１個の携帯電話とした、少なくとも１個のトランスポンダユニットと、および
・とくに少なくとも一つの監視チップとし、少なくとも一つのメッセージ、とくに少なくとも一つの電話の呼び、または少なくとも一つのショートメッセージ、または少なくとも一つのマルチメディアメッセージの、トランスポンダユニットへの送信をトリガするよう設計した、少なくとも一つ監視ユニットと、
を備えた該監視システムにおいて、
・監視システムは、認証ユーザーが前記監視ユニットを起動および作動停止するよう設計した、少なくとも１個の遠隔制御ユニットを有し、また
・前記メッセージの送信は、監視ユニットの作動状態で、対象物へのアクセスが要求された場合にトリガされるよう構成した
ことを特徴とする監視システム。
【請求項２】
請求項１に記載の監視システムのための監視ユニットにおいて、監視ユニットの作動状態で、対象物にアクセスが要求された場合に、前記メッセージの送信をトリガするよう設計したことを特徴とする監視ユニット。
【請求項３】
請求項２に記載の監視ユニットにおいて、
・前記監視ユニットに加わる機械的力または機械的応力を検出するよう設計し、また
・機械的力および機械的応力が加わる場合に、前記メッセージの送信をトリガすることを特徴とする監視ユニット。
【請求項４】
請求項２または３に記載の監視ユニットは、対象物、とくに自動車のような輸送手段における、少なくとも一つのアクセスデバイス、とくに少なくとも一つのドアおよび／または一つのドアロック、および／または少なくとも一つの窓（この場合、どのように窓を構成しているかが重要である）に割り当てる、および／または配置する、および／または備えるものとしたことを特徴とする監視ユニット。
【請求項５】
請求項２〜４のいずれか一項に記載の監視ユニットにおいて、機械的力または機械的応力が加わる場合に、少なくとも１個の圧電性結晶が電気を発生することを特徴とする監視ユニット。
【請求項６】
請求項２〜５のいずれか一項に記載の監視ユニットにおいて、
・トランスポンダユニットの少なくとも一つの連絡先アドレスデータ、とくに少なくとも一つの携帯電話の電話番号を記憶する、少なくとも１個の記憶ユニット、および／または
・前記メッセージと一緒にトランスポンダユニットに送信できる、および／またはトランスポンダユニット、とくにトランスポンダユニットの少なくとも１個の記憶ユニットに記憶できる、少なくとも１個の一意的な識別番号
を有することを特徴とする監視ユニット。
【請求項７】
請求項１に記載の監視システムのための遠隔制御ユニットにおいて、前記監視ユニットを起動および作動停止するよう設計したことを特徴とする遠隔制御ユニット。
【請求項８】
請求項７に記載の遠隔制御ユニットにおいて、
・前記監視ユニットの起動は、とくに認証ユーザーによって、例えば対象物のアクセスデバイスに鍵をかけている間、または後で、前記監視ユニットの動作可能な状態を有効にする、および／または開始することによって実行し、また・前記監視ユニットの作動停止は、とくに認証ユーザーによって、対象物のアクセスデバイスを解除する前、または解除中のように、例えば対象物にアクセス要求がある前、またはアクセス要求中に、前記監視ユニットの動作可能な状態を停止および／または取り消す
ようにしたことを特徴とする遠隔制御ユニット。
【請求項９】
請求項７または８に記載の遠隔制御ユニットにおいて、遠隔制御ユニットを、トランスポンダユニットに割り当てる、および／または配置する、および／または備え、および／またはトランスポンダユニットの少なくとも一つの連絡先アドレスデータと一緒に、とくに少なくとも一つの携帯電話の電話番号と一緒に、監視ユニットをプログラミングするよう設計した遠隔制御ユニット。
【請求項１０】
請求項１に記載の監視システムのためのトランスポンダユニットにおいて、対象物へのアクセスの要求がされた場合に、前記監視ユニット（１０）の作動状態で送信をトリガされたメッセージを受信するよう設計したトランスポンダユニット。
【請求項１１】
不正なアクセスから保護すべき少なくとも１個の対象物を監視する方法において、
・少なくとも１個の監視ユニット、とくに少なくとも１個の監視チップを作動状態にするステップと、
・前記対象物へのアクセスが要求されるか監視するステップと、および
・前記対象物へのアクセスが要求される場合、少なくとも一つのメッセージ、とくに少なくとも一度の電話の呼び、または少なくとも一つのショートメッセージ、または少なくとも一つのマルチメディアメッセージの、少なくとも１個のトランスポンダユニット、とくに少なくとも一つの携帯電話への送信をトリガするステップと
を有することを特徴とする方法。
【請求項１２】
請求項１１に記載の方法において、前記対象物へのアクセスが要求されるかを監視するステップは、機械的力、または機械的応力が監視ユニットに加えられているかどうかを検出するステップを有するものとした方法。
【請求項１３】
請求項１１に記載の方法、および／または請求項１に記載の少なくとも１個の監視システムを使用する方法において、とくに、
・請求項２〜６のいずれか一項に記載の、少なくとも１個の監視ユニット、例えば少なくとも１個のスマートロックシステムのような、少なくとも１個のセキュリティシステムとして使用し、前記監視ユニットを、少なくとも１個の対象物、とくに不正アクセスから保護すべけ少なくとも一台の自動車のような、少なくとも一つの輸送手段の、少なくとも一つのアクセスデバイス、とくに、少なくとも一つのドアロック、および／または少なくとも一つの窓などの、少なくとも一つのドアに割り当てる、および／または配置する、および／または備え、
・請求項１０に記載の、認証ユーザー自身が携行する少なくとも１個のトランスポンダユニットを使用し、
不正なアクセスから保護すべき対象物を監視するための、とくに、少なくとも一つのアクセスデバイス、例えば、少なくとも一つのドアを監視するための、少なくとも一つの自動車向けの用途または自動向けでない用途、例えば少なくとも一台の自動車の盗難を防ぐための使用方法。
【発明の詳細な説明】
【技術分野】
【０００１】
本発明は、概してモニタシステムの技術分野、および、とくにセキュリティシステムの技術分野に関し、例えば、スマートロックシステムのような盗難防止装置の技術分野に関する。
【０００２】
さらに具体的に言うと、本発明は、監視システム、とくに、セキュリティシステムに関し、例えば、請求項１の前段で詳述されるようなスマートロックシステムに関する。
【０００３】
さらに、本発明は、この監視システムに対応する方法に関する。
【背景技術】
【０００４】
盗難事件、とくに自動車の盗難事件は、現在増え続けている。従って、人々は、しばしば、所有物を気にかけている。
【０００５】
このような状況での問題は、認証ユーザーが自動車を駐車し、自動車から離れる、例えば買い物または他の何らかの用事で出掛けるならば、認証ユーザーが不在中に自動車に何が起こっているかは気付かない。
【０００６】
先行の特許文献１（国際公開第２００５／０５９８５８号）では、保護すべき対象物を監視するシステムが記載されている。この従来の監視システムは、チップとして実装し、対象物への不正アクセスが検出された場合に警報を発することを基礎としている。このような警報を感知すると、従来の監視システムは、携帯電話に連絡する、そのために、連絡先アドレスデータをチップに記憶している。
【特許文献１】国際公開第２００５／０５９８５８号明細書
【０００７】
しかし、この従来の監視システムは極めて複雑である。さらに、安全でない要素があり、これは、警報システムが取り外される可能性があり、この場合監視システム全体が機能しなくなるからである。従って、この従来の監視システムが適切に機能するためには、外部に対する依存が必要である。
【０００８】
先行の特許文献２（米国特許第４，９９６，５１４号）には、自動車のドアのシリンダー錠に装置を組み込んで、無線電波を送信するトランスミッタを有する自動車盗難防止システムについて記載している。この自動車盗難防止システムによると、無線トランスミッタは無線信号を送信し、この無線信号を携帯遠隔制御トランスミッタのセンサが検出し、このとき遠隔制御トランスミッタは異常警報を送信する。
【特許文献２】米国特許第４，９９６，５１４号明細書
【０００９】
しかし、その遠隔制御トランスミッタは、他の自動車から送信されている無線電波を区別することが出来ない。これは、多くの自動車が並んで駐車されていて、それらの自動車の全てがそのような盗難防止システムを備えつけている場合には問題がある。
【００１０】
もし、これらの自動車の一台が、権限のない人間によって解錠されようとしている場合、そのとき、それぞれの自動車の盗難防止システムが無線信号を発生して、それらは、その付近の全ての携帯遠隔制御トランスミッタによって検出される。
【００１１】
従って、このような盗難防止システムの所有者は、異常を示す警報が、所有している自動車が解錠されようとしているためにトリガされているのか、所有している自動車の近くに駐車している自動車によってトリガされたのかが分からない。
【００１２】
さらに、本発明の技術的な背景に関して、以下の参考特許文献がある。
【特許文献３】欧州特許出願公開第０３６６３７８号明細書
【特許文献４】欧州特許出願公開第１３６９３２１号明細書
【特許文献５】特開平１１−１３９２５３号公報
【発明の開示】
【発明が解決しようとする課題】
【００１３】
上述した欠点および短所からスタートし、また上述のような従来技術を考慮にいれると、本発明の目的は、この技術分野で記載されるような監視システムを更に改良すること、および対象物に対する認証されていないアクセスを要求される場合、とくに誰かが対象物を盗もうとしている場合に、認証されたユーザーに通知する、この技術分野で記載されるような方法を更に改良することである。
【課題を解決するための手段】
【００１４】
本発明のこのような技術的な問題は、請求項１の特徴を備えた監視システム、および請求項１１の特徴を備えた方法によって解決される。本発明の有利な実施形態、および適切な改良は、それぞれの従属請求項に記載する。
【００１５】
本発明は、監視システムおよび／または対象物の認証ユーザー、とくに所有者が、対象物から離れている間に対象物に起こっている事について認識することを可能にするよう設計した監視システム、とくにセキュリティシステム、例えばスマートロックシステムを提供しようとする考えに基づいている。
【００１６】
従って、セキュリティの観点から、本発明は従来の監視システムより優れていて、および所有物、特に自動車のような輸送手段の盗難の件数は、本発明の使用によって、大幅に減少する可能性がある。
【００１７】
本発明は、さらに、上述の監視システムのための監視ユニットに関し、とくに監視チップに関し、例えば盗難防止デバイスに関する。
【００１８】
上述の監視ユニットは、対象物への認証されないアクセスがあった場合に、監視ユニットの作動状態で、メッセージ送信をトリガするよう設計する。
【００１９】
これを目的として、本発明の好適な実施形態によれば、監視ユニットは、監視ユニットに加わる機械的力または機械的応力を検出するように設計し、とくに監視ユニットのいかなる外乱をも検出するよう設計し、また、機械的力または機械的応力が作用される場合、とくに監視ユニットに外乱が加わる場合に、メッセージ送信をトリガするように設計する。
【００２０】
とくに、本発明の好適な実施形態によれば、監視ユニットに外乱が加わると、監視ユニットはトランスポンダユニットと連絡を取り合う機能を有し、とくに少なくとも１回の電話の呼び、またはショートメッセージ、またはマルチメディアメッセージを、携帯電話に（今までのところ携帯電話の番号は特定しない）を送信する機能を有する構成とする。
【００２１】
監視ユニットに加わる機械力または機械的応力を検出するために、およびメッセージ送信をトリガさせるために、このような場合、監視ユニットは、機械的力または機械的応力が作用された場合に電気を発生するよう、少なくとも１個の圧電性結晶を備える。
【００２２】
しかし、本発明は、監視ユニット内部に使用する圧電性結晶の種類は限定しない、つまり、動作を検出できる他の物体が使用される可能性もある。理想的には、監視ユニットは、アクセス要求を検出するために、とくに動作を検出するために、いかなる外部依存をも持つべきではない。
【００２３】
監視ユニットとは独立して、または監視ユニットに関連して、監視ユニットは、随意的に、とくに携帯電話番号のような、少なくとも１個のトランスポンダユニットの連絡先アドレスデータを記憶する記憶ユニットを備える。
【００２４】
監視ユニットは、少なくとも１個の対象物のアクセスデバイス、とくに少なくとも１個のドア、少なくとも１個のドアロック、および／または少なくとも１個の窓に割り当てる、とくに設置する、および／または備える。
【００２５】
対象物のアクセスデバイスロック、とくにドアロックへの、カギまたはそれ以外の物の挿入を検出するために、監視ユニットは、対象物のアクセスデバイスロックの中に設置される、特に組み込むことができる。
【００２６】
本発明の好適な実施形態によれば、監視ユニットは、対象物のアクセスデバイスの通常使用の場合でさえ、監視ユニットの作動状態でメッセージ送信をトリガするよう設計する。
【００２７】
たとえば、監視ユニットを、車のドアロックの内部に設置し、認証された人の携帯電話の番号を記憶する、少なくとも１個のチップとして有利に実装することができる。このチップに外乱があった場合、または何者かが複製した鍵を使用して車のドアを開けようとするとき、またはチップが作動停止になっていない状態で何者かがオリジナルの鍵を使用してドアを開けようとする場合、チップ作動状態では、監視ユニットの好適な実施形態は、記憶している電話番号に電話する、または電話を発呼する。
【００２８】
従って、本発明の好適な実施形態によれば、監視ユニットが作動状態であるとき、警報は、対象物、とくに乗り物または自動車が、オリジナルの鍵、または複製された鍵で解錠される時でさえ発生する。
【００２９】
とくに、監視システムが２個以上の対象物を監視するために使用する場合、監視ユニットは少なくとも１個の特有の識別番号を有し、この識別番号は、
・メッセージと共にトランスポンダユニットに送信可能である、および／または、
・トランスポンダユニットに、とくに少なくとも１個のトランスポンダ記憶ユニットによって記憶可能とする。
【００３０】
このようにして、本発明による監視システムの好適な実施形態によれば、各監視ユニットは、特有の識別番号を持ち、この識別番号をトランスポンダユニット、とくに携帯電話に記憶する。
【００３１】
本発明はさらに、上述した監視システムのための遠隔制御ユニットに関し、この遠隔制御ユニットは、監視ユニットの起動と作動停止をするよう設計する。
【００３２】
遠隔制御によって、認証された人、または自動車の所有者は、対象物へのアクセスが要求される前に、とくに自動車のドアを開ける前に、監視ユニットが作動状態をキャンセルすることができる。その結果、認証された人が対象物へアクセスしようとするとき、メッセージ送信はトリガされない。
【００３３】
このようにして、監視ユニットを起動するおよび作動停止することによって、特に監視チップの機能を有効にするおよび無効にすることによって、誤った警報を防ぐことができる。
【００３４】
この遠隔制御ユニットは、トランスポンダユニットに割り当てる、とくに設置する、および／または備える。
【００３５】
さらに、遠隔制御ユニットは、随意的に、トランスポンダユニットの連絡先アドレスデータ、とくに携帯電話の電話番号を有する監視ユニットをプログラミングするよう設計することができる。
【００３６】
さらに、本発明は上述した監視システムのためのトランスポンダユニットに関して、対象物へのアクセスが要求される場合に、監視ユニットが作動状態で送信されたメッセージを受信するよう設計する。
【００３７】
コストを削減するために、トランスポンダユニットとして通常の携帯電話を使用できる。これはほとんどの人が携帯電話をすでに持っているため都合が良い。
【００３８】
上述したように、本発明は、その操作が非常に単純であるというメリット、および従来の監視システムまたはセキュリティシステムと比較して持ち運びに便利であるという利点がある。
【００３９】
特許文献２（米国特許第４，９９６，５１４号）と比較して、本発明の好適な実施形態は、メッセージ送信をトリガするための警報信号を使用することも、必要とすることもない。
【００４０】
作動状態では、アクセス要求は、さらに、監視システムによって、特に監視ユニット自体によって検出される。例えば、好適な実施形態によれば、監視チップは、作動中であるときに何者かがドアを開けようとするならば、ドアに設置した監視チップ自体が、動作や外乱を検出することができる。
【００４１】
さらに、本発明の監視ユニットの好適な実施形態に従って、単独のチップは、
・連絡先アドレスデータを記憶すること、
・対象物へのアクセスが要求されたときに検出すること、および
・このようなアクセスが要求される場合、特に機械的力または機械的応力がチップに加わる場合に、例えば、チップが外乱を受ける場合に、メッセージ送信をトリガすること
を管理できる。
【００４２】
本発明のさらなる利点は、監視システムが、作動状態でアクセス要求、例えば窃盗犯がドアを開けようとしているときなどに作用するということである。それは、所有物への不正アクセス、特に窃盗を抑制すること、または警察が権限のない人を捕まえるために通報するという可能性を与える。
【００４３】
本発明と対比して、従来の警報システムは、アクセスデバイスが開かれたとき、例えば窃盗犯がドアを開けるときに起動されるが、それは犯罪の発生を抑制するには遅過ぎる。
【００４４】
最後に、本発明は、上述した方法の使用および／または上述した少なくとも一つの監視システムの使用に関し、とくに
・少なくとも１個の監視ユニットの使用、例えば少なくとも１個の監視システムの使用、上述した少なくとも一つのスマートロックシステムなどの使用に関し、監視ユニットを、不正なアクセスから保護すべき少なくとも１個のアクセスデバイス、とくに少なくとも１個のドア、少なくとも１個のドアロックなど、および／または少なくとも１個の窓、少なくとも１個の対象物の、特に少なくとも一つの輸送手段、少なくとも一つの自動車などに、割り当てる、とくに設置する、および／または備え、
・は認証ユーザーによって、自身が携行することができる、上述した少なくとも一つの遠隔制御ユニットを使用し、および、
・  認証ユーザーによって、自身が携行することができる、上述した少なくとも一つのトランスポンダユニットを使用する。
【００４５】
言い換えれば、本発明は、自動車の分野で、適切なセキュリティーを、高級車、および中流の車、および安価な車に提供するために使用することが可能である。
【００４６】
上述したように、有利なやり方で、本発明の開示内容を実施する、ならびに改善するための選択肢がいくつか存在する。こののため、請求項１、請求項２、請求項７、請求項１１に、それぞれ基づく実施形態につき説明する。本発明のさらなる改良点および特徴および利点は、一例として二つの好適な実施形態および添付図面につき、以下に詳細に説明する。
【００４７】
同じ参照符号を、図１および図２の対応する部分で使用する。
【実施例】
【００４８】
不必要な反復を回避するために、本発明の実施例および特徴および利点に関して以下の説明は、（特に記述がない限り）
本発明による、監視システム１００の第１の実施例（図１参照）および、
本発明による、監視システム１００´の第２の実施例（図２参照）
に関する。
【００４９】
図１および図２は、それぞれ監視システムを示し、とくにセキュリティシステム、より特別には、自動車３０を不正アクセスから保護するために監視するスマートロックシステム１００および１００´を示す。
【００５０】
スマートロックシステム１００および１００´は、トランスポンダユニット、すなわち携帯電話４０を有し、このトランスポンダユニット４０は、スマートロックシステム１００および１００´および／または自動車３０の認証ユーザーまたは所有者２００によって、携行される。
【００５１】
さらに、スマートロックシステム１００，１００´は、監視ユニット、とくに監視チップ１０を有し、この監視チップ１０は、少なくとも一つのメッセージｍ、とくに、少なくとも一つの電話の呼び出し、または少なくとも一つのショートメッセージ、または少なくとも一つのマルチメディアメッセージの、携帯電話４０への送信をトリガするよう設計する。
【００５２】
この監視チップ１０は、自動車３０のドアロックの内部に割り当て、とくに接続する。監視チップ１０は自動車３０のドアロックの内部に埋め込むため、監視チップ１０は、車を見るときには目に触れず、この理由から、監視チップ１０を図１および図２で破線で示す。
【００５３】
スマートロックシステム１００，１００´は、さらに遠隔制御ユニット２０，２０´を有し、遠隔制御ユニット２０，２０´は、所有者２００が監視チップ１０を起動および作動停止するよう設計する。
【００５４】
この遠隔制御ユニットは、図１に示すように、携帯電話４０に設けることができる。しかし、遠隔制御ユニットは、図２に示すように、独立または内蔵型ユニットとすることもできる。
【００５５】
遠隔制御ユニット２０を携帯電話４０内に一体化する（図１）ため、または遠隔制御ユニット２０´を所有者２００のブリーフケース内に入れる（図２）ために、遠隔制御ユニット２０，２０´は携帯電話（図１）およびブリーフケース（図２）を外側から見るときには目に触れず、したがって、この理由から遠隔制御ユニット２０，２０´を図１および図２に破線で示す。
【００５６】
スマートロックシステム１００，１００´によれば、メッセージｍの送信は、監視チップ１０の作動状態で自動車３０へのアクセス要求がされた場合にトリガされる。
【００５７】
より特別には、図１および図２に示すように、本発明の実施形態１００，１００´は、携帯電話４０および監視チップ１０を使用し、この監視チップ１０は自動車３０のドアロックに組み込み、および電話の呼び、およびショートメッセージおよび／またはマルチメディアメッセージを送信することができる。
【００５８】
この監視システム１０は、記憶ユニット１２によって電話番号を記憶することができ、また監視チップ１０に何らかの外乱が加わる場合、例えば何者かが複製した鍵を使用してドアを開けようとするとき、この監視チップ１０は記憶した電話番号に電話の呼びをかける、またはメッセージを送信する。
【００５９】
この電話番号は、自動車３０の所有者２００の携帯電話４０の電話番号である。たとえ、何者かが、監視チップ１０を作動停止することなく、オリジナルの鍵を使用してドアを開けようとしても、監視チップ１０は、この携帯電話の番号に電話の呼びをかける、またはメッセージを送信する。
【００６０】
言い換えると、監視チップ１０の特徴は、
・自動車３０のドアロックに取り付ける、
・携帯電話の番号を記憶することができ、またその携帯電話の番号は遠隔制御ユニット２０，２０´によってプログラム可能である、
・遠隔制御ユニット２０，２０’によって起動および作動停止ができるよう設計している、および
・作動状態で、記憶された番号に、電話の呼びをかけ、またはメッセージを送信することができ、それは監視チップが外乱を受けたときである。
【００６１】
さらに、望ましくは、各監視チップ１０は一意的に識別できる番号を有し、さらにこの番号を携帯電話４０に記憶し、とくに携帯電話４０の記憶ユニット４２に記憶する。
【００６２】
このような方法で、何者かが自動車３０を窃盗しようとしている場合、監視チップ１０は、すぐに所有者２００にこの危険について警告するために電話の呼びをかける、またはメッセージを送信し、および所有者２００が到着し、所有者の自動車３０を守る機会を与える。
【００６３】
さらに、所有者２００が、監視チップ１０を起動した後で鍵を紛失してしまった場合には、そのとき、何者かがオリジナルの鍵を使用してドアを開けようとしているならば、所有者は警告を受ける。
【００６４】
そのため、所有者２００が自身の自動車３０を駐車するときはいつでも、ドアに鍵をかけるとき、および／またはドアに鍵をかけた後で、所有者２００は、立ち去る前、または自動車３０から離れる前に、遠隔制御ユニット２０，２０’を用いて、監視チップ１０を起動する。
【００６５】
このような場合、窃盗犯は自動車３０のオリジナルの鍵、または複製した鍵を持つことができる。窃盗犯が自動車３０に不法に侵入しようとするならば、どんな場合にも、起動している監視チップ１０は、所有者２００に、自身の携帯電話４０に電話の呼びをかける、またはメッセージを送信することによって自動車３０が窃盗されようとしていることを所有者２００に知らせる。
【００６６】
従って、所有者は、自身の自動車３０が窃盗されようとしていることに関して、警報の電話を受け取る。窃盗されようとしていることについて知った後で、所有者２００は、警察に知らせる、または窃盗犯が自動車３０を窃盗することを防ぐためにすぐに所有者の自動車に到着することができる。
【００６７】
その一方で、誤った警報を避けるために、ドアを開く前に監視チップ１０は、所有者２００によって作動停止にする。そのような作動停止は、認証ユーザー２００によって、監視装置１０の動作可能な状態を無効にすること、または中止することによって実行されることができ、それはとくに、自動車３０のドアロックを解錠前または解錠時である。
【図面の簡単な説明】
【００６８】
【図１】図１は、本発明の方法に従って動作する、本発明による監視システムの第１の実施形態を図式的に示す。
【図２】図２は、本発明の方法に従って動作する、本発明による監視システムの第２の実施形態を図式的に示す。
【図１】
2009524141.tif 000003
【図２】
2009524141.tif 000004
【国際調査報告】
2009524141.tif 000005
2009524141.tif 000006